(57)【要約】【課題】この発明は、マイナスイオンを発生させるフロントグリルネットの提供にある。【解決手段】音響駆動源となるスピーカーコーンまたは振動部に所要の間隔をおいて対設するスピーカーグリルフレームに張設する、トルマリン鉱石の微粒粉末であって、かつ、その粒径が３μｍを含有したポリエステル繊維製編布からなるフロントグリルネット。【選択図】　　　　図１
2004096334.tif 000002
【特許請求の範囲】
【請求項１】
音響駆動源となるスピーカーコーンまたは振動部に所要の間隔をおいて対設するスピーカーグリルに張設するマイナスイオン発生素材微粒粉末を含有した編布からなるフロントグリルネット。
【請求項２】
マイナスイオン発生素材微粒粉末は、トルマリン鉱石の微粒粉末の粒径が０．１〜２０μｍであって、かつ、その粒径が０．１〜２０μｍにおいて選択されてなる請求項１のフロントグリルネット。
【請求項３】
編布へのトルマリン鉱石の微粒粉末の含有加工は、トルマリン鉱石の微粒粉末の混合液に浸漬した後、マングルローラーを通して絞った後、所要の温度で乾燥し、さらに、所要の温度で所要時間のＣＵＲＥ加工をなしてトルマリン鉱石の微粒粉末を含有させてなる請求項２のフロントグリルネット。
【請求項４】
編布は、ポリエステル繊維より構成してなる請求項１または請求項３のフロントグリルネット。
【発明の詳細な説明】
【０００１】
【発明が属する技術分野】
この発明は、マイナスイオンを発生させるフロントグリルネットに関する。
【０００２】
【従来の技術】
従来、マイナスイオンは、森林や滝の周辺に豊富に存在していることが知られ、人体に対して爽快感やリラクスゼーションを与え、ストレスに対して鎮静的に作用し、作業効率の改善や疲労回復に効果があると言われている。また、マイナスイオンが豊富な状態では、副交換神経が活性化されることにより、呼吸機能が向上し、神経も安定し、血圧も下げ、休養と安らぎの状態を作り出し癒しの効果をもたらすことも知られている。そして、森林の中では、数百個／ＣＣ程度のマイナスイオンを含んでいるが、都会では、１００個／ＣＣに満たないことが知られている。
【０００３】
そこで、人工的にマイナスイオン発生装置が空気清浄装置に付属し、また、専用装置としても各種の提案がなされている。また、マイナスイオンを発生するトルマリン鉱石を微粉化し、これをバインダーを加えて装身具に固形化し、また、不織布もしくは織布に含有させて、衣服、寝具類を製造し、日常、誰でも身近にできるマイナスイオン浴が提案されている。
【０００４】
【発明が解決しようとする課題】
しかるに、従来の不織布もしくは織布に含有させたトルマリン鉱石の微粒子から発生するマイナスイオンは、一定量であり、これを高めることができないか、について研究したところ振動を与えると飛躍的に増加することが分かった。そこで、この発明は、スピーカーの音波を活用し、音楽の演奏と同時にマイナスイオンを発生する発生装置を提案するものである。
【０００５】
【課題を解決するための手段】
音響駆動源となるスピーカーコーンまたは振動部に所要の間隔をおいて対設するスピーカーグリルに張設するマイナスイオン発生素材微粒粉末を含有した編布からなるフロントグリルネットにある。
【０００６】
マイナスイオン発生素材微粒粉末は、トルマリン鉱石の微粒粉末の粒径が０．１〜２０μｍであって、かつ、その粒径が０．１〜２０μｍにおいて選択してもよいものである。
【０００７】
編布へのトルマリン鉱石の微粒粉末の含有加工は、トルマリン鉱石の微粒粉末の混合液に浸漬した後、マングルローラーを通して絞った後、所要の温度で乾燥し、さらに、所要の温度で所要時間のＣＵＲＥ加工をなしてトルマリン鉱石の微粒粉末を含有させてもよいものである。
【０００８】
編布は、ポリエステル繊維により構成してもよいものである。
【０００９】
【発明の実施の形態】
音響駆動源となるスピーカーコーンまたは振動部に所要の間隔をおいて対設するスピーカーグリルフレームに張設する、トルマリン鉱石の微粒粉末であって、かつ、その粒径が３μｍを含有したポリエステル繊維製編布からなるフロントグリルネット。
【００１０】
【実施例】
以下、この発明のマイナスイオンを発生させるフロントグリルネットを実施例により説明すると、実施例のフロントグリルネット１は、マイナスイオン発生素材、トルマリン鉱石の微粒粉末を水で溶かした水溶混合液２にポリエステル繊維製編布３を浸漬し、次に、マングル加工をした後、乾燥し、もって、トルマリン鉱石の微粒粉末をポリエステル繊維製編布３に含有させ、マイナスイオンを発生させるフロントグリルネット１を製造するものである。
【００１１】
前記マイナスイオンを発生させるフロントグリルネット１を実施例として、例えば、幅１８０ｃｍで、目付（ｋｇ／ｍ）　０．２８０のポリエステル繊維製編布のサンプルＡと、同じく、幅１８０ｃｍで、目付（ｋｇ／ｍ）　０．３１０のポリエステル繊維製編布のサンプルＢを夫々粒径が３μｍのトルマリン鉱石の微粒粉末の水溶混合液２、例えば、メーカー大和化学商品名イデオンＭＭｊを７％（重量）、水９３％（重量）を調合し、この水溶混合液２を調合タンク４に貯料し、調合タンク４から浸漬タンク５に送り、この浸漬タンク５に前記サンプルＡと、サンプルＢを夫々浸漬し、図１に示すように、夫々マングルローラー６、６を通して絞った後、夫々ドラム乾燥部７を通して８０度Ｃで所要時間乾燥し、夫々をさらに、例えば、同ドラム乾燥部７を通過する過程で、例えば、１８０度Ｃ／１分のＣＵＲＥ加工をなし、もってトルマリン鉱石の微粒粉末を含有させてなるものである。トルマリン鉱石の微粒粉末は、その粒径を０．１〜２０μｍにおいて選択できるものである。
【００１２】
サンプルＡと、サンプルＢは、乾燥工程で、図２および図３に示すように、トンネル幅出し乾燥部８で、例えば、１６０ｃｍから１８０ｃｍへ幅出しと、乾燥と、前記ＣＵＲＥ加工をなして、製品幅を所定に仕上げてもよいものである。
【００１３】
トルマリン鉱石は、天然鉱石で水で分散するため、ポリエステル繊維製編布３に含有加工が容易に行えるものである。
【００１４】
上記トルマリン鉱石の微粒粉末含有のサンプルＡと、同サンプルＢについて、マイナスイオン測定試験を行ったところ、静置試験の測定値に対して振動時のマイナスイオン測定値は数倍から十数倍の数値となって測定されたのである。
【００１５】
次に、図４に示すように、フロントグリルネット１を、スピーカーボックス９のグリルフレーム１０に装着し、音響機器のスピーカグリル１１を製造する。
【００１６】
前記フロントグリルネット１をグリルフレーム１０に装着するには、フロントグリルネット１の周縁をグリルフレーム１０に点溶接または線溶設等の仮止め工程と、周縁の全周を本溶接する本溶接工程からなる製造方法（本特許出願人の特許第３１２５２０９５号）によるとよいものである。
【００１７】
以上から、スピーカー１２、１３から発生する音波の振動を利用し、フロントグリルネット１から振動が無い場合に比較して２〜１０倍程度のマイナスイオンをスピーカーの発音と共に発生させることができるものである。
【００１８】
フロントグリルネット１をスピーカーボックス９のスピーカグリル１１に張設する構造・方法については、前述の構成に限定されないことは勿論であって、要点は、フロントグリルネット１は一定の緊張を持って張設されていればよいものである。
【００１９】
かかるようにマイナスイオンの発生が増加したのは、フロントグリルネット１に含有するトルマリン鉱石にスピーカー１２、１３から発生する音波の振動エネルギーが与えられ、空気中の水分と反応するためと考えられるのである。
【００２０】
【発明の効果】
この発明のフロントグリルネットは、以上のようになるから、スピーカーグリルの開口全面に張設されるので、スピーカーの口径面積に対して数倍の面積を占めることができ、しかも、通気性のよいニット生地で構成されるため、空気の流通がよく、したがって、このフロントグリルネットに含有されるトルマリン鉱石の微粒粉末は、常に、空気にさらされ、空気中の気体水分と接触することができ、また、ニット生地に適度な緊張をもって張設されているので、音波に追従してよく振動することができるものである。
【００２１】
また、フロントグリルネットへのトルマリン鉱石の微粒粉末の含有加工は、トルマリン鉱石の微粒粉末の混合液に浸漬した後、マングルローラーを通して絞った後、所要の温度で乾燥し、さらに、所要の温度で所要時間のＣＵＲＥ加工をなしてトルマリン鉱石の微粒粉末を含有させてなるものであるから、生産性がよく、安価に提供できるものである。
【００２２】
この発明のフロントグリルネットは、音楽の演奏と同時にマイナスイオンが発生するから、精神の安定と健康の回復に、多大の寄与をするものである。
【図面の簡単な説明】
【図１】この発明のフロントグリルネットの製造工程を示す工程図である。
【図２】同じく、この発明のフロントグリルネットの製造工程を示す側面工程図で、特に幅だし加工を行い定寸幅に仕上げる場合の側面工程図である。
【図３】同じく、幅だし加工の部分平面工程図である。
【図４】この発明のフロントグリルネットの装着状態の実施の１例を示すスピーカーの縦断面図である。
【符号の説明】
１　フロントグリルネット
２　水溶混合液
３　ポリエステル繊維製編布
４　調合タンク
５　浸漬タンク
６　マングルローラー
７　ドラム乾燥部
８　トンネル幅出し乾燥部
９　スピーカーボックス
１０　グリルフレーム
１１　スピーカグリル
１２　スピーカー
１３　スピーカー
【図１】
2004096334.tif 000003
【図２】
2004096334.tif 000004
【図３】
2004096334.tif 000005
【図４】
2004096334.tif 000006